(57)【要約】【課題】製造コストを低く抑えながら、容易に製造でき、さらにスクリーン部に投影される映像のリアル感低下を抑制できるシミュレータドームを提供する。【解決手段】シミュレータドーム１は、平面視円環状に形成されたスクリーン部２と、スクリーン部２の上部に設置された天井部３と、を備える。スクリーン部２は、スクリーン部２の周方向に配列された複数のスクリーン分割体２０によって構成される。少なくとも一つのスクリーン分割体２０の上端部と天井部３の外周端部との間に、隙間Ｇが形成されている。【選択図】図１
2019020626.tif 000002
【特許請求の範囲】
【請求項１】
平面視円環状に形成されたスクリーン部と、
前記スクリーン部の上部に設置された天井部と、を備え、
前記スクリーン部が、該スクリーン部の周方向に配列された複数のスクリーン分割体によって構成され、
少なくとも一つの前記スクリーン分割体の上端部と前記天井部の外周端部との間に、隙間が形成されているシミュレータドーム。
【請求項２】
前記隙間が、前記スクリーン部の上端部と前記天井部の外周端部との間に設けられたスペーサによって形成されている請求項１に記載のシミュレータドーム。
【請求項３】
前記スペーサが、前記スクリーン部の上端部上に配され、前記スクリーン部の内周面に光を投射するプロジェクタを支持する支持フレーム部によって構成されている請求項２に記載のシミュレータドーム。
【請求項４】
前記スクリーン分割体と前記支持フレーム部とが、介在プレートを介して着脱可能に連結されている請求項３に記載のシミュレータドーム。
【請求項５】
前記天井部から前記支持フレーム部まで延び、前記支持フレーム部を天井部の下方に吊下げる吊り治具を備える請求項３又は請求項４に記載のシミュレータドーム。
【請求項６】
前記天井部から前記支持フレーム部に至る前記吊り治具の長さが、調整可能とされている請求項５に記載のシミュレータドーム。
【請求項７】
前記隙間に配されて、前記スクリーン分割体及び前記天井部に対して着脱可能に連結される支柱を備える請求項２から請求項４のいずれか一項に記載のシミュレータドーム。
【請求項８】
前記隙間を前記スクリーン部及び前記天井部の外側から覆うカバー部を備え、
前記カバー部は、前記スクリーン部及び前記天井部に対して着脱自在に取り付けられる請求項１に記載のシミュレータドーム。
【請求項９】
前記スクリーン部及び前記天井部の少なくとも一方に着脱可能に設けられて、前記スクリーン部及び前記天井部の他方に向けて突出する突起部を備え、
前記突起部の先端が前記スクリーン部及び前記天井部の他方に接触する請求項１から請求項８のいずれか一項に記載のシミュレータドーム。
【請求項１０】
請求項１から請求項９のいずれか一項に記載のシミュレータドームのうち一つの前記スクリーン分割体を把持するスクリーン把持治具。
【発明の詳細な説明】
【技術分野】
【０００１】
本発明は、シミュレータドーム及びスクリーン把持治具に関する。
【背景技術】
【０００２】
一般に、乗物の運転練習や研究開発等においては、シミュレータドームが用いられている。シミュレータドームの内部には、乗物に相当するコクピット等の各種機材が配される。コクピット等の各種機材は、必要に応じてシミュレータの内部に対して出し入れすることがある。
特許文献１には、コクピットの側面周囲に配されたスクリーン及び背面板と、スクリーン及び背面板の上部に設けた天井と、を備えるシミュレータドームが開示されている。特許文献１のシミュレータドームでは、背面板にコクピット等の各種機材を出し入れするための機材搬入用扉を設けている。
【先行技術文献】
【特許文献】
【０００３】
【特許文献１】特許第２７８１７５５号公報
【発明の概要】
【発明が解決しようとする課題】
【０００４】
ところで、特許文献１のシミュレータドームのようにスクリーン及び背面板によって構成される円環状のスクリーン部は、パネル状に形成された複数の分割体を周方向に配列することで構成されることが多い。しかしながら、特許文献１のシミュレータドームのように、スクリーン部に機材搬入用扉を設けた場合には、機材搬入用扉を設けるための幾つかの分割体の形状が、残りの分割体の形状と異なってしまう。このため、多種類の分割体を製造する必要があり、その結果として、シミュレータドームの製造コストが高くなる、という問題がある。
【０００５】
また、スクリーン部に機材搬入用扉を設けた場合には、シミュレータドーム（特にスクリーン部）の形状が複雑となるため、シミュレータドームの製造（例えば複数の分割体の組み立て）が面倒である、という問題もある。
【０００６】
また、機材搬入用扉とスクリーン部の他の部分との継ぎ目は、スクリーン部の分割体同士の継ぎ目と比較して目立ちやすい。このため、機材搬入用扉とスクリーン部の他の部分との継ぎ目によってスクリーン部の内面に投影される映像のリアル感が低下する、という問題もある。
【０００７】
本発明は、上述した事情に鑑みたものであって、製造コストを低く抑えながら、容易に製造でき、さらにスクリーン部に投影される映像のリアル感低下を抑制できるシミュレータドーム及びこれに用いるスクリーン把持治具を提供することを目的とする。
【課題を解決するための手段】
【０００８】
本発明の一態様によるシミュレータドームは、平面視円環状に形成されたスクリーン部と、前記スクリーン部の上部に設置された天井部と、を備え、前記スクリーン部が、該スクリーン部の周方向に配列された複数のスクリーン分割体によって構成され、少なくとも一つの前記スクリーン分割体の上端部と前記天井部の外周端部との間に、隙間が形成されていることを特徴とする。
【０００９】
上記構成のシミュレータドームでは、スクリーン分割体と天井部との隙間を利用して、シミュレータドームの外側からスクリーン分割体をシミュレータドームの他の部分（他のスクリーン分割体や天井部）に対して容易に着脱することができる。例えば、シミュレータドームの外側から、着脱用の治具（例えば後述するスクリーン把持治具）を上記隙間に挿入してスクリーン分割体の上端部に取り付けることで、スクリーン分割体をシミュレータドームの外側に引き抜くことができる。すなわち、映像が投影されるスクリーン分割体の内面に触れることなく、スクリーン分割体を簡単にシミュレータドームの他の部分に対して取り外すことができる。
【００１０】
前記シミュレータドームでは、前記隙間が、前記スクリーン部の上端部と前記天井部の外周端部との間に設けられたスペーサによって形成されてもよい。
【００１１】
上記構成のシミュレータドームによれば、隙間がスクリーン部や天井部とは別個のスペーサによって形成されることで、スクリーン部の上端部や天井部の外周端部の形状を凹凸の無い単純な形状に形成することができる。すなわち、スクリーン部や天井部の形状を単純化でき、スクリーン部（スクリーン分割体）や天井部を安価かつ容易に製造することができる。
【００１２】
また、前記シミュレータドームでは、前記スペーサが、前記スクリーン部の上端部上に配され、前記スクリーン部の内周面に光を投射するプロジェクタを支持する支持フレーム部によって構成されてもよい。
【００１３】
上記構成のシミュレータドームによれば、隙間を形成するための専用のスペーサを設ける必要がないため、シミュレータドームの構成部品点数を少なく抑えることができる。
【００１４】
さらに、前記シミュレータドームでは、前記スクリーン分割体と前記支持フレーム部とが、介在プレートを介して着脱可能に連結されてもよい。
【００１５】
上記構成のシミュレータドームでは、スクリーン分割体と支持フレーム部とを連結した状態において、スクリーン分割体と支持フレーム部とが相互に固定される。これにより、シミュレータドームの剛性を高めることができる。
一方、スクリーン分割体と支持フレーム部との連結を解除し、さらに、介在プレートをスクリーン分割体と支持フレーム部との間から取り除いた状態では、スクリーン分割体と支持フレーム部とが間隔をあけて位置する。これにより、スクリーン分割体と支持フレーム部との間に生じる摩擦を軽減したり無くしたりして、スクリーン分割体を容易に着脱することができる。
【００１６】
また、前記シミュレータドームは、前記天井部から前記支持フレーム部まで延び、前記支持フレーム部を天井部の下方に吊下げる吊り治具を備えてもよい。
【００１７】
上記構成のシミュレータドームによれば、支持フレーム部が吊り治具によって天井部の下方に吊下げられることで、スクリーン分割体にかかる支持フレーム部の荷重を軽減できる。このため、所定のスクリーン分割体の上端部上に支持フレーム部が配されていても、所定のスクリーン分割体をシミュレータドームの他の部分に対して簡単に取り外すことができる。
また、所定のスクリーン分割体を取り外した状態であっても、吊り治具によって支持フレーム部の高さ位置を維持することができる。このため、所定のスクリーン分割体を取り付ける際に、所定のスクリーン分割体が支持フレーム部と干渉することを防止できる。すなわち、所定のスクリーン分割体の取付作業が支持フレーム部によって阻害されることも防止できる。
【００１８】
さらに、前記シミュレータドームでは、前記天井部から前記支持フレーム部に至る前記吊り治具の長さが、調整可能とされてもよい。
【００１９】
上記構成のシミュレータドームによれば、吊り治具の長さを調整することで、スクリーン分割体にかかる支持フレーム部の荷重を変化させることができる。
例えば所定のスクリーン分割体が他のスクリーン分割体と共にスクリーン部を構成している状態では、所定のスクリーン分割体にかかる支持フレーム部の荷重が大きくなるように吊り治具の長さを調整することで、支持フレーム部を所定のスクリーン分割体により安定的に支持できる。
一方、所定のスクリーン分割体をシミュレータドームの他の部分に対して取り外す際には、所定のスクリーン分割体にかかる支持フレーム部の荷重を小さくするように又は無くすように吊り治具の長さを調整することで、所定のスクリーン分割体を簡単に取り外すことができる。
【００２０】
また、前記シミュレータドームは、前記隙間に配されて、前記スクリーン分割体及び前記天井部に対して着脱可能に連結される支柱を備えてもよい。
【００２１】
上記構成のシミュレータドームによれば、天井部をスクリーン分割体の上端部上に配された支柱によって支持できるため、シミュレータドームの剛性を高めることができる。また、支柱が着脱可能であることで、隙間を利用したスクリーン分割体の着脱作業が支柱によって阻害されることを防止できる。
【００２２】
さらに、前記シミュレータドームは、前記隙間を前記スクリーン部及び前記天井部の外側から覆うカバー部を備え、前記カバー部は、前記スクリーン部及び前記天井部に対して着脱自在に取り付けられてもよい。
【００２３】
上記構成のシミュレータドームによれば、隙間をカバー部によって閉じることができるため、シミュレータドームを使用する際に、隙間からシミュレータドームの内部に光や音が入り込むことを防止できる。すなわち、シミュレータドームの遮光性や遮音性を向上できる。
また、カバー部がスクリーン部及び天井部に対して着脱自在とされているため、スクリーン分割体の着脱作業がカバー部によって阻害されることを防止できる。また、カバー部はスクリーン部及び天井部の外側から隙間を覆うため、カバー部の着脱作業をシミュレータドームの外側から簡単に行うことができる。
【００２４】
また、前記シミュレータドームは、前記スクリーン部及び前記天井部の少なくとも一方に着脱可能に設けられて、前記スクリーン部及び前記天井部の他方に向けて突出する突起部を備え、前記突起部の先端が前記スクリーン部及び前記天井部の他方に接触してもよい。
【００２５】
上記構成のシミュレータドームにおいて、スクリーン部及び天井部の一方に設けられた突起部の先端がスクリーン部及び天井部の他方に接触した状態では、突起部とスクリーン部及び天井部の他方との間に生じる摩擦によって、天井部に対するスクリーン分割体の移動を規制できる。
一方、突起部をスクリーン部及び天井部の一方から取り外した状態では、スクリーン分割体と天井部との接触面積が減る。このため、スクリーン分割体と天井部との間に生じる摩擦をさらに軽減し、スクリーン分割体を容易に着脱することができる。
なお、突起部が天井部に設けられる場合、突起部は例えば着脱されないスクリーン分割体のみに接触するように天井部に設けられてもよい。また、突起部がスクリーン部に設けられる場合、突起部は例えば着脱されないスクリーン分割体のみに設けられてもよい。
【００２６】
本発明の一態様によるスクリーン把持治具は、前記シミュレータドームのうち一つの前記スクリーン分割体を把持することを特徴とする。
【００２７】
上記構成のスクリーン把持治具を用いることで、スクリーン分割体をシミュレータドームの他の部分に対して簡単に着脱することができる。また、取り外したスクリーン分割体を上記構成のスクリーン把持治具に保持させることで、スクリーン分割体の内面を保護した状態で、スクリーン分割体を保管することもできる。
また、スクリーン把持治具がスクリーン分割体を把持した状態で移動したり、スクリーン把持治具をクレーンで吊るしたりすることで、スクリーン分割体の運搬性向上を図ることもできる。
【発明の効果】
【００２８】
本発明によれば、スクリーン分割体を取り外すことで、コクピット等の各種機材を出し入れする搬入口をシミュレータドームに形成することができる。すなわち、本発明のシミュレータドームでは、従来のようにスクリーン部に機材搬入用扉を設ける必要がない。これにより、製造すべきスクリーン分割体の種類を減らし、シミュレータドームの製造コストを低く抑えることができる。
また、スクリーン部に機材搬入用扉を設けないことで、シミュレータドーム（特にスクリーン部）の形状が単純となるため、シミュレータドームを容易に製造することができる。
また、スクリーン部に機材搬入用扉を設けないことで、スクリーン部に投影される映像のリアル感低下を抑制することもできる。
【図面の簡単な説明】
【００２９】
【図１】本発明の一実施形態に係るシミュレータドームのうち一部のカバー部を削除した概略斜視図である。
【図２】図１のシミュレータドームのうち一部の天井分割体及びカバー部を削除した概略斜視図である。
【図３】図１，２のシミュレータドームを構成するスクリーン分割体、天井分割体、及び、これらに対応する支持フレーム部の部位を示す斜視図である。
【図４】図１，２のシミュレータドームのうちプロジェクタ、並びに、一部の天井分割体及びカバー部を削除した要部拡大斜視図である。
【図５】図１，２のシミュレータドームにおいて、スクリーン分割体と天井分割体との隙間を外側から見た要部拡大図である。
【図６】図１，２のシミュレータドームにおいて、スクリーン分割体を着脱する方法の一例を示す概略斜視図である。
【図７】図１，２のシミュレータドームにおいて、スクリーン分割体を着脱する方法の一例を示す概略斜視図である。
【図８】本発明の他の実施形態に係るシミュレータドームの要部を示す拡大斜視図である。
【発明を実施するための形態】
【００３０】
以下、図１−７を参照して本発明の一実施形態について説明する。
図１，２に示すように、本実施形態に係るシミュレータドーム１は、スクリーン部２と、天井部３と、を備える。また、シミュレータドーム１は、複数のプロジェクタ４と、支持フレーム部５と、を備える。
【００３１】
スクリーン部２は、平面視円環状に形成されている。スクリーン部２は、平面視円環の筒状に形成されたスクリーン本体１１を有する。スクリーン本体１１は、例えば単純な円筒状に形成されてもよいが、本実施形態では中空の楕円体の一部をなすように形成されている。より具体的に説明すれば、本実施形態のスクリーン本体１１は、その軸方向（図１，２において上下方向）の中途部が、径方向においてスクリーン本体１１の軸方向の両端部よりも外側に膨らむように形成されている。スクリーン部２の下方の開口は、シミュレータドーム１の床面を構成する床板部６によって覆われている。スクリーン本体１１の内周面は、プロジェクタ４の光（映像又は画像）が投射される投射領域となっている。
【００３２】
スクリーン本体１１には、人がシミュレータドーム１に出入りするためのドア１２が取り付けられている。本実施形態において、スクリーン本体１１のうちドア１２を取り付ける部位（ドア１２を囲む部位）には、径方向においてスクリーン本体１１の外側に突出する突出部１３が形成されている。ドア１２及び突出部１３は、軸方向におけるスクリーン本体１１の下端部に寄せて位置している。
突出部１３は、径方向において床板部６よりも外側に突出している。突出部１３は、径方向において床板部６の外周から突出して突出部１３の下側に配される支持部１４によって支持される。支持部１４は、床板部６の外周に対して着脱自在に固定される。
【００３３】
本実施形態のスクリーン部２は、上記したスクリーン本体１１の上端部から径方向においてスクリーン本体１１の内側に延びる天板部１５を、さらに有する。
天板部１５は、スクリーン本体１１の周方向全体に形成されている。すなわち、天板部１５は、平面視円環の板状に形成されている。径方向における天板部１５の長さは、任意であってよいが、例えばプロジェクタ４が径方向において天板部１５よりも内側に位置できるように設定されてよい。
【００３４】
スクリーン部２は、スクリーン部２の周方向に配列された複数のスクリーン分割体２０によって構成されている。図２，３に示すように、各スクリーン分割体２０は、スクリーン本体１１を構成する本体分割部２１と、天板部１５を構成する天板分割部２２と、を備える。
周方向における各スクリーン分割体２０の両端には、スクリーン側フランジ部２３が形成されている。スクリーン側フランジ部２３は、本体分割部２１の外面（スクリーン部２の外周面）から突出すると共に本体分割部２１の下端部から上端部まで延びている。スクリーン側フランジ部２３は、スクリーン分割体２０（スクリーン部２）の剛性を向上させる役割を果たす。
【００３５】
図２−４に示すように、各スクリーン側フランジ部２３の上端部は、天板分割部２２の上面から突出すると共に、径方向において天板分割部２２の外周縁から内側に延びる天板部上側フランジ部２４を含む。スクリーン側フランジ部２３の上端部が天板部上側フランジ部２４を含むことで、スクリーン側フランジ部２３は、スクリーン本体１１に対する天板部１５の剛性を向上させる役割も果たす。
周方向に隣り合う二つのスクリーン分割体２０，２０は、互いのスクリーン側フランジ部２３，２３を、周方向に重ね合せた上でネジ止め等により相互に連結することで、互いに固定される。
【００３６】
図１，３に示すように、複数のスクリーン分割体２０のうち一つは、前述したドア１２が取り付けられるドア付きスクリーン分割体２０Ａとなっている。ドア付きスクリーン分割体２０Ａのうちドア１２が取り付けられる部位（突出部１３）は、周方向においてスクリーン分割体２０の両端に形成されたスクリーン側フランジ部２３，２３の間に位置する。
【００３７】
ドア付きスクリーン分割体２０Ａの突出部１３を除き、複数のスクリーン分割体２０の各部の形状や寸法（例えばスクリーン分割体２０の周方向の寸法、スクリーン側フランジ部２３の形状や寸法など）は、例えば互いに異なっていてもよいが、本実施形態では互いに等しい。このため、スクリーン部２においては、複数のスクリーン側フランジ部２３が周方向に等間隔で配列されている。
【００３８】
図１，２に示すように、天井部３は、上記したスクリーン部２の上方の開口を覆うように、スクリーン部２の上部に設置される。天井部３は、平面視円形状に形成されている。天井部３は、スクリーン部２の径方向における天井部３の中央部が、スクリーン部２の上端部に対向する天井部３の外周端部に対して上方に膨らむように形成されている。すなわち、天井部３は、内側に空間を有し、下方に向けて開口する椀状に形成されている。
さらに、本実施形態の天井部３は、スクリーン本体１１と共に中空の楕円体（球体を含む）の一部を構成している。このため、天井部３の内面及び外面は、それぞれスクリーン本体１１の内周面及び外周面に滑らかに連なる。
【００３９】
径方向における天井部３の中央部（頂部）には、図示例のように天井部３を貫通する孔１６が形成されてもよいが、例えば形成されなくてもよい。また、天井部３の孔１６には、例えばシミュレータドーム１内の空気を換気する換気装置などが設けられてもよい。
図４に示すように、本実施形態の天井部３には、その外周端部から径方向において天井部３の内側に突出する突出板部１７が形成されている。突出板部１７は、スクリーン部２の天板部１５に対向するように配される。突出板部１７は、例えば天井部３の周方向全体に形成されてもよい。本実施形態の突出板部１７は、天井部３の周方向に間隔をあけて複数配列されている。
【００４０】
天井部３の具体的構成は、任意であってよい。本実施形態の天井部３は、図１，２に示すように、スクリーン部２と同様に、周方向に配列された複数の天井分割体３０によって構成されている。
図１，３，４に示すように、周方向における各天井分割体３０の両端には、天井側フランジ部３１が形成されている。天井側フランジ部３１は、天井分割体３０（天井部３）の外面から突出すると共に、天井部３の外周端部から中央部まで延びている。周方向に隣り合う二つの天井分割体３０，３０は、互いの天井側フランジ部３１，３１を周方向に重ね合せた上でネジ止め等により相互に連結することで、互いに固定される。
前述した天井部３の突出板部１７は、周方向における天井分割体３０の両端部及び中間部の計三か所に形成されている。
【００４１】
複数の天井分割体３０の各部の形状や寸法（例えば天井分割体３０の周方向の寸法、天井側フランジ部３１の形状や寸法など）は、例えば互いに異なっていてもよいが、本実施形態では互いに等しい。このため、天井部３においては、複数の天井側フランジ部３１が周方向に等間隔で配列されている。
また、周方向における天井分割体３０の外周端部の寸法は、周方向におけるスクリーン分割体２０の上端部の寸法と等しい。
【００４２】
図２−４に示すように、本実施形態のシミュレータドーム１は、周方向に隣り合う二つの天井分割体３０，３０の間に着脱可能に配される天井側リブ７を備える。本実施形態において、天井側リブ７は、全ての天井分割体３０同士の間に配される。このため、天井側リブ７は周方向に間隔をあけて複数配列されている。
各天井側リブ７は、天井部３の外周端部から中央部まで延びる板材である。天井側リブ７は、天井部３の外周端部から中央部まで延びる円弧状に形成されている。天井側リブ７の長手方向の中途部には、天井部３の内側に突出する拡幅部４１が形成されている。
【００４３】
図４，５に示すように、本実施形態の天井側リブ７は、周方向に隣り合う二つの天井分割体３０，３０の天井側フランジ部３１，３１の間に挟まれる。天井側リブ７は、例えば周方向に隣り合う二つの天井分割体３０，３０の天井側フランジ部３１，３１同士の連結状態を解除することで、天井部３に対して着脱することができる。
天井側リブ７の一部は、天井部３の外周端部からスクリーン部２に向けて突出している。すなわち、本実施形態の天井側リブ７は、天井部３の外周端部からスクリーン部２に向けて突出する突起部４２を含む。突起部４２の先端は、スクリーン部２に接触する。
拡幅部４１及び突起部４２を含む天井側リブ７は、図示例のように一体に形成されてもよいが、例えば、拡幅部４１を含む天井側リブ７の部位と、突起部４２を含む天井側リブ７の部位とが、別個に形成されてもよい。
【００４４】
前述した天井部３は、例えば周方向におけるスクリーン分割体２０及び天井分割体３０の位置が互いにずれるように、スクリーン部２の上部に設置されてもよい。図１−５に示すように、本実施形態において、天井部３は、周方向におけるスクリーン分割体２０及び天井分割体３０の位置が互いに一致するように、スクリーン部２の上部にスクリーン部２の上部に設置される。すなわち、天井部３における複数の天井側フランジ部３１は、周方向において複数のスクリーン側フランジ部２３に各々対応して位置する。また、天井部３の外周端部からスクリーン部２に向けて突出する突起部４２の先端は、スクリーン部２のうちスクリーン側フランジ部２３の上端部（天板部上側フランジ部２４の先端）に接触する。
【００４５】
本実施形態において、突起部４２は全ての天井側リブ７に形成されているが、これに限ることは無い。突起部４２は、例えば一部の天井側リブ７のみに形成されてもよい。例えば、突起部４２は、スクリーン部２のうちシミュレータドーム１に対して着脱されないスクリーン分割体２０のみに接触するように、着脱されないスクリーン分割体２０に対応する天井側リブ７のみに形成されてよい。言い換えれば、スクリーン部２のうち着脱されるスクリーン分割体２０（例えばドア付きスクリーン分割体２０Ａ）に対応する天井側リブ７には、突起部４２が形成されなくてもよい。
【００４６】
図２に示すように、プロジェクタ４は、スクリーン本体１１の内周面に光を投射する。スクリーン本体１１においてプロジェクタ４の光が投射される投射領域は、例えば周方向におけるスクリーン本体１１の内周面の一部であってもよい。本実施形態における投射領域は、周方向におけるスクリーン本体１１の内周面全体である。このため、本実施形態のシミュレータドーム１は、複数のプロジェクタ４を備える。
【００４７】
支持フレーム部５は、複数のプロジェクタ４を支持する。すなわち、複数のプロジェクタ４は、支持フレーム部５上に配されている。支持フレーム部５は、スクリーン部２の上端部に配される。本実施形態において、支持フレーム部５は、前述したスクリーン部２の天板部１５の上面に配される。
【００４８】
支持フレーム部５の具体的構成は、任意であってよい。本実施形態の支持フレーム部５は、図２−４に示すように、環状枠部５１と、複数の梁部５２と、を備える。
環状枠部５１は、平面視環状に形成されると共に径方向においてスクリーン部２（特に天板部１５）の内側に配され、複数のプロジェクタ４を支持する。環状枠部５１は、例えば平面視円形の環状に形成されてもよいが、本実施形態では平面視正多角形の環状に形成されている。
環状枠部５１は、例えば径方向に所定の幅寸法を有する環状の板材によって構成されてもよい。本実施形態の環状枠部５１は、径寸法が互いに異なる二つの環状枠５３，５３によって構成されている。プロジェクタ４は、二つの環状枠５３，５３によって支持されるように環状枠部５１上に配される。
【００４９】
各梁部５２は、環状枠部５１からスクリーン部２の上端部まで径方向に延びている。径方向における各梁部５２の外側端部は、スクリーン部２の上端部（天板部１５の上面）上に配される。複数の梁部５２は、環状枠部５１の周方向に間隔をあけて配されている。複数の梁部５２は、等間隔で配列されている。本実施形態における梁部５２の数は、スクリーン分割体２０の数と等しい。複数の梁部５２は、各スクリーン分割体２０の上端部上に一つずつ配されている。
【００５０】
本実施形態において、複数の梁部５２は、それぞれネジ止め等によって各スクリーン分割体２０に着脱可能に連結されている。本実施形態において、各梁部５２は、図４，５に示すように、対応するスクリーン分割体２０との間に配される介在プレート５４を介してスクリーン分割体２０に着脱可能に連結されている。具体的に、各梁部５２は、周方向においてスクリーン分割体２０の一方の天板部上側フランジ部２４との間に介在プレート５４を挟み込んだ上で、一方の天板部上側フランジ部２４に連結されている。
【００５１】
図３，４に示すように、本実施形態のシミュレータドーム１は、上記の支持フレーム部５を天井部３の下方に吊下げる吊り治具８をさらに備える。吊り治具８は、天井部３から支持フレーム部５まで延びている。
吊り治具８の長手方向の第一端部は、天井部３に接続されている。吊り治具８の第一端部は、図示例のように天井側リブ７の拡幅部４１に接続されてもよいし、例えば天井部３（天井分割体３０）の内面から一体に突出する突起に接続されてもよい。
吊り治具８の長手方向の第二端部は、支持フレーム部５に接続されている。吊り治具８の第二端部は、例えば環状枠部５１に接続されてもよいが、本実施形態では梁部５２に接続されている。吊り治具８は、例えば全ての梁部５２に接続されてもよいが、本実施形態では一部の梁部５２に接続されている。具体的に、吊り治具８は、周方向におけるドア付きスクリーン分割体２０Ａの両端に位置する天板部上側フランジ部２４，２４に連結される二つの梁部５２に接続されている。
【００５２】
本実施形態では、天井部３から支持フレーム部５に至る吊り治具８の長さが、調整可能とされている。吊り治具８の長さを調整する具体的な構成は任意であってよい。本実施形態の吊り治具８は、天井部３から支持フレーム部５まで延びる棒ねじと、天井部３及び支持フレーム部５の少なくとも一方に取り付けられて棒ねじが螺着する雌ねじ部と、によって構成されている。本実施形態では、棒ねじを回転させることで、吊り治具８の長さを調整することができる。
【００５３】
図１−５に示すように、本実施形態のシミュレータドーム１では、スクリーン分割体２０の上端部と天井部３の外周端部との間に隙間Ｇが形成されている。隙間Ｇは、少なくとも一つのスクリーン分割体２０と天井部３との間に形成されていればよい。本実施形態では、隙間Ｇが、全てのスクリーン分割体２０と天井部３（全ての天井分割体３０）との間に形成されている。また、本実施形態において、隙間Ｇは、周方向に間隔をあけて配列された複数のスクリーン側フランジ部２３によって複数に分割されている。
【００５４】
本実施形態において、隙間Ｇは、スクリーン部２の上端部と天井部３の外周端部との間に設けられたスペーサによって形成されている。隙間Ｇを形成するスペーサの具体的な構成は任意であってよい。図５に示すように、本実施形態のスペーサは、前述した支持フレーム部５によって構成されている。具体的に、本実施形態のスペーサは、スクリーン部２の上端部上（天板部１５の上面上）に配される支持フレーム部５の梁部５２である。
【００５５】
梁部５２は、スクリーン部２の上端部と天井部３の外周端部との間に挟み込まれている。本実施形態では、スクリーン本体１１の軸方向（シミュレータドーム１の高さ方向）における梁部５２の高さ寸法が、スクリーン分割体２０と天井部３との間の隙間Ｇの寸法となっている。これにより、天井部３は、スクリーン部２の上端部上に配された梁部５２によって支持されている。
また、梁部５２の高さ寸法は、天板部上側フランジ部２４及び突起部４２に作用する天井部３の荷重が小さくなるように又は無くなるように設定されている。梁部５２の高さ寸法は、例えば軸方向に配列された天板部上側フランジ部２４及び突起部４２の高さ寸法を足し合わせた寸法よりも微小に大きく設定されている。
【００５６】
梁部５２と梁部５２の上側に配される天井部３とは、ネジ止め等によって相互に連結される。具体的に、梁部５２上には、図３，４に示すように、天井部３の外周端部に形成された突出板部１７が重ねて配される。より具体的に、梁部５２上には、周方向において天井分割体３０の一方の端部に形成された第一突出板部１７Ａが重ねて配される。これにより、天井部３を梁部５２上に安定に配することができる。梁部５２は、ネジ止め等によって第一突出板部１７Ａに連結される。
【００５７】
図１，３−５に示すように、本実施形態のシミュレータドーム１は、上記した隙間Ｇに配されて、スクリーン分割体２０及び天井部３に対して着脱可能に連結される支柱９をさらに備える。支柱９は、支持フレーム部５の梁部５２と同様に、スクリーン部２の上端部（天板部１５の上面）上に配され、天井部３を支持する。
具体的に、支柱９は、図４に示すように、各スクリーン分割体２０の上端部とこれに対応する天井分割体３０の突出板部１７との間に一つずつ挟まれる。すなわち、本実施形態のシミュレータドーム１は複数の支柱９を備える。本実施形態において、各支柱９は、周方向におけるスクリーン分割体２０や天井分割体３０の中間部に配されている。各支柱９は、天板分割部２２の上面のうち周方向の中間領域と、周方向において天井分割体３０の中間部に形成された第二突出板部１７Ｂと、の間に挟まれる。
【００５８】
図１に示すように、本実施形態のシミュレータドーム１は、上記した隙間Ｇをスクリーン部２及び天井部３の外側から覆うカバー部１０をさらに備える。カバー部１０は、スクリーン部２及び天井部３に対してネジ止め等によって着脱自在に取り付けられる。前述したように、本実施形態の隙間Ｇは複数に分割されている。このため、隙間Ｇを覆うカバー部１０も、周方向に複数に分割して構成されている。
【００５９】
次に、本実施形態のシミュレータドーム１において、一部のスクリーン分割体２０を、他のスクリーン分割体２０や天井部３に対して着脱する方法の一例について説明する。以下では、主に図６，７を参照し、スクリーン把持治具１００を用いてドア付きスクリーン分割体２０Ａを着脱する方法について説明する。
【００６０】
はじめに、スクリーン把持治具１００の構成について説明する。図６，７に示すように、スクリーン把持治具１００は、ドア付きスクリーン分割体２０Ａをシミュレータドーム１の外側から把持するように構成されている。スクリーン把持治具１００は、本体部１０１と、本体部１０１に設けられてスクリーン分割体２０を把持する把持部１０２と、を備える。
【００６１】
本体部１０１は、図示例のように複数の棒状部材を組み合わせて構成した枠体であってもよいが、これに限ることは無い。
把持部１０２には、ドア付きスクリーン分割体２０Ａを上下方向（軸方向）から把持する第一把持部１０２Ａと、ドア付きスクリーン分割体２０Ａを左右方向（幅方向）から把持する第二把持部１０２Ｂと、がある。
【００６２】
第一把持部１０２Ａは、ドア付きスクリーン分割体２０Ａの下端部を支持する下側支持部１０３と、ドア付きスクリーン分割体２０Ａの上端部にネジ止め等によって取り付けられる上側取付部１０４と、を有する。下側支持部１０３及び上側取付部１０４は、いずれも本体部１０１から離れる方向に延びている。また、下側支持部１０３及び上側取付部１０４は、それぞれの長手方向において本体部１０１に対して移動可能とされている。本実施形態において、本体部１０１に対して下側支持部１０３及び上側取付部１０４を移動させる機構は、棒ねじ１０５を利用して構成されている。
【００６３】
第二把持部１０２Ｂは、任意に構成されてよいが、本実施形態では本体部１０１から離れる方向に延びる複数の帯板１０６によって構成されている。各帯板１０６の長手方向の第一端は、ネジ止め等によって本体部１０１に対して着脱可能に固定される。各帯板１０６の長手方向の第二端は、ネジ止め等によってドア付きスクリーン分割体２０Ａの両端に位置するスクリーン側フランジ部２３に対して着脱可能に固定される。
【００６４】
また、スクリーン把持治具１００は、ドア付きスクリーン分割体２０Ａを把持した状態で移動できるように構成されている。すなわち、スクリーン把持治具１００は、本体部１０１の下端に配される複数の転動部材１０７も備える。転動部材１０７は、例えば円盤状の車輪であってもよいが、本実施形態では車輪と比較してスクリーン把持治具１００の移動方向が規制されないボールキャスター（ボールベアリング）である。
【００６５】
次に、ドア付きスクリーン分割体２０Ａを取り外す手順の一例について説明する。
ドア付きスクリーン分割体２０Ａを取り外す場合には、はじめに、図６に示すようにドア付きスクリーン分割体２０Ａとこれに対応する天井分割体３０との隙間Ｇを覆うカバー部１０を取り外す。
次いで、ドア付きスクリーン分割体２０Ａと天井分割体３０との間に配された支柱９（図１参照）を取り外す。また、ドア付きスクリーン分割体２０Ａの突出部１３を支持する支持部１４（図１参照）を床板部６から取り外す。
【００６６】
その後、スクリーン把持治具１００によりドア付きスクリーン分割体２０Ａを把持する。この際、第一把持部１０２Ａの下側支持部１０３を突出部１３の下側に配し、下側支持部１０３によって突出部１３（ドア付きスクリーン分割体２０Ａの下端部）を支持する。また、第一把持部１０２Ａの上側取付部１０４を、ドア付きスクリーン分割体２０Ａと天井部３との隙間Ｇに挿入し、ドア付きスクリーン分割体２０Ａの上端部（天板分割部２２）に対してネジ止め等により取り付ける。これにより、ドア付きスクリーン分割体２０Ａがスクリーン把持治具１００によって支持される。
【００６７】
その後、ドア付きスクリーン分割体２０Ａとその両側に隣り合う他のスクリーン分割体２０との連結状態、及び、ドア付きスクリーン分割体２０Ａと支持フレーム部５の梁部５２（図５参照）との連結状態をそれぞれ解除する。この際、ドア付きスクリーン分割体２０Ａと支持フレーム部５の梁部５２との間に介在する介在プレート５４（図５参照）も取り外す。
【００６８】
ドア付きスクリーン分割体２０Ａと支持フレーム部５との連結状態を解除した後には、例えば、天井部３から支持フレーム部５に至る吊り治具８（図４参照）の長さを短くして、ドア付きスクリーン分割体２０Ａにかかる支持フレーム部５の荷重を小さく又は無くしてもよい。
また、上記した全ての工程の前後又は途中において、例えば、ドア付きスクリーン分割体２０Ａ（特にその天板部上側フランジ部２４）に接触する突起部４２を含む天井側リブ７（図５参照）を天井部３から取り外してもよい。
【００６９】
上記した工程が全て完了した後には、図７に示すように、スクリーン把持治具１００により、ドア付きスクリーン分割体２０Ａを、シミュレータドーム１の他の部分（他のスクリーン分割体２０、天井部３、床板部６等）に対し、径方向におけるシミュレータドーム１の外側に移動させる。
【００７０】
ここで、ドア付きスクリーン分割体２０Ａ上に配される梁部５２は、前述したように周方向においてドア付きスクリーン分割体２０Ａの天板部上側フランジ部２４に隣り合せて配されている（図４，５参照）。このため、ドア付きスクリーン分割体２０Ａは、梁部５２の長手方向に平行するように移動させるとよい。この際、ドア付きスクリーン分割体２０Ａの移動は、例えばスクリーン把持治具１００全体の移動によって行われてもよいし、例えば下側支持部１０３及び上側取付部１０４を本体部１０１に対して移動させることで行われてもよい。
【００７１】
その後は、例えば、ドア付きスクリーン分割体２０Ａを、シミュレータドーム１の他の部分から完全に離れた位置まで移動させることで、ドア付きスクリーン分割体２０Ａの取り外し作業が完了してもよい。
本実施形態では、ドア付きスクリーン分割体２０Ａのスクリーン側フランジ部２３が、径方向において隣り合う他のスクリーン分割体２０のスクリーン側フランジ部２３よりも外側に位置した状態で、ドア付きスクリーン分割体２０Ａの移動を一旦停止する。その上で、第二把持部１０２Ｂによりドア付きスクリーン分割体２０Ａを左右方向（幅方向）から把持する。これにより、ドア付きスクリーン分割体２０Ａを安定した状態で保持することができる。その後、ドア付きスクリーン分割体２０Ａを、シミュレータドーム１の他の部分から完全に離れた位置まで移動させることで、ドア付きスクリーン分割体２０Ａの取り外し作業が完了する。
【００７２】
ドア付きスクリーン分割体２０Ａを取り外した後には、例えば、ドア付きスクリーン分割体２０Ａに隣り合う他のスクリーン分割体２０を、ドア付きスクリーン分割体２０Ａの場合と同様に、スクリーン把持治具１００に把持させて取り外してもよい。この際、他のスクリーン分割体２０には、ドア付きスクリーン分割体２０Ａの突出部１３に対応する構成が無いため、他のスクリーン分割体２０を第一把持部１０２Ａで把持することは難しい。ただし、他のスクリーン分割体２０を周方向に移動させる余地があるため、他のスクリーン分割体２０をスクリーン把持治具１００の第二把持部１０２Ｂのみで把持させて取り外すことができる。
取り外されたドア付きスクリーン分割体２０Ａや他のスクリーン分割体２０は、スクリーン把持治具１００に把持された状態で保管することができる。
【００７３】
ドア付きスクリーン分割体２０Ａや他のスクリーン分割体２０を取り付ける作業は、上記した取り外し作業の工程を逆順で実施すればよい。
【００７４】
以上説明したように、本実施形態のシミュレータドーム１では、スクリーン分割体２０の上端部と天井部３の外周端部との間に隙間Ｇが形成されている。このため、この隙間Ｇを利用して、シミュレータドーム１の外側からスクリーン分割体２０をシミュレータドーム１の他の部分（他のスクリーン分割体２０、天井部３、床板部６等）に対して容易に着脱することができる。すなわち、映像が投影されるスクリーン分割体２０の内面（スクリーン部２の内周面）に触れることなく、スクリーン分割体２０を簡単にシミュレータドーム１の他の部分に対して取り外すことができる。
なお、隙間Ｇを利用してスクリーン分割体２０を着脱する方法は、上記したスクリーン把持治具１００を用いた方法に限らず、例えばクレーン等の別の治具を用いた方法などであってもよい。クレーンを用いる場合には、例えば、クレーンの吊り具をスクリーン分割体２０と天井部３との隙間Ｇに挿入してスクリーン分割体２０の上端部に引っ掛けることで、スクリーン分割体２０を着脱できる。
【００７５】
そして、スクリーン分割体２０を取り外すことで、コクピット等の各種機材を出し入れする搬入口をシミュレータドーム１に形成することができる。すなわち、本実施形態のシミュレータドーム１では、従来のようにスクリーン部２に機材搬入用扉を設ける必要がない。これにより、製造すべきスクリーン分割体２０の種類を減らし、シミュレータドーム１の製造コストを低く抑えることができる。
【００７６】
また、スクリーン部２に機材搬入用扉を設けないことで、シミュレータドーム１（特にスクリーン部２）の形状が単純となるため、シミュレータドーム１を容易に製造することができる。
また、スクリーン部２に機材搬入用扉を設けないことで、スクリーン部２に投影される映像のリアル感低下を抑制することもできる。
【００７７】
また、スクリーン分割体２０と天井部３との間に隙間Ｇが形成されていることで、スクリーン分割体２０と天井部３との接触面積を減らすことができる。これにより、スクリーン分割体２０と天井部３との間に生じる摩擦を軽減して、スクリーン分割体２０を容易に着脱することができる。
【００７８】
また、本実施形態のシミュレータドーム１では、スクリーン分割体２０と天井部３と隙間Ｇが、スクリーン部２と天井部３との間に設けられたスペーサによって形成されている。この場合、スクリーン部２の上端部や天井部３の外周端部に、隙間Ｇ用の凹凸形状を形成する必要がなくなる。このため、スクリーン部２の上端部や天井部３の外周端部の形状を凹凸の無い単純な形状に形成することができる。すなわち、スクリーン部２や天井部３の形状を単純化でき、スクリーン部２（スクリーン分割体２０）や天井部３（天井分割体３０）を安価かつ容易に製造することができる。
【００７９】
また、本実施形態のシミュレータドーム１では、スクリーン部２と天井部３との間に設けられたスペーサが、スクリーン部２の上端部上に配され、プロジェクタ４を支持する支持フレーム部５によって構成されている。この場合、隙間Ｇを形成するための専用のスペーサを設ける必要がないため、シミュレータドーム１の構成部品点数を少なく抑えることができる。
【００８０】
また、本実施形態のシミュレータドーム１では、スクリーン分割体２０と支持フレーム部５とが介在プレート５４を介して着脱可能に連結されている。
このため、スクリーン分割体２０と支持フレーム部５とを連結した状態では、スクリーン分割体２０と支持フレーム部５とが相互に固定される。これにより、シミュレータドーム１の剛性を高めることができる。
一方、スクリーン分割体２０と支持フレーム部５との連結を解除し、さらに、介在プレート５４をスクリーン分割体２０と支持フレーム部５との間から取り除いた状態では、スクリーン分割体２０と支持フレーム部５とが間隔をあけて位置する。これにより、スクリーン分割体２０と支持フレーム部５との間に生じる摩擦を軽減したり無くしたりして、スクリーン分割体２０を容易に着脱することができる。
【００８１】
また、本実施形態のシミュレータドーム１では、支持フレーム部５が吊り治具８によって天井部３の下方に吊下げられている。このため、スクリーン分割体２０にかかる支持フレーム部５の荷重を軽減できる。これにより、所定のスクリーン分割体２０の上端部上に支持フレーム部５が配されていても、所定のスクリーン分割体２０をシミュレータドーム１の他の部分に対して簡単に取り外すことができる。
また、所定のスクリーン分割体２０を取り外した状態であっても、吊り治具８によって支持フレーム部５の高さ位置を維持することができる。このため、所定のスクリーン分割体２０を取り付ける際に、所定のスクリーン分割体２０が支持フレーム部５と干渉することを防止できる。すなわち、所定のスクリーン分割体２０の取付作業が支持フレーム部５によって阻害されることも防止できる。
【００８２】
さらに、本実施形態のシミュレータドーム１では、天井部３から支持フレーム部５に至る吊り治具８の長さが調整可能とされている。このため、スクリーン分割体２０にかかる支持フレーム部５の荷重を変化させることができる。
例えば所定のスクリーン分割体２０が他のスクリーン分割体２０と共にスクリーン部２を構成している状態では、所定のスクリーン分割体２０にかかる支持フレーム部５の荷重が大きくなるように吊り治具８の長さを調整することで、支持フレーム部５を所定のスクリーン分割体２０により安定的に支持できる。
一方、所定のスクリーン分割体２０をシミュレータドーム１の他の部分に対して取り外す際には、所定のスクリーン分割体２０にかかる支持フレーム部５の荷重を小さくするように又は無くすように吊り治具８の長さを調整することで、所定のスクリーン分割体２０を簡単に取り外すことができる。
【００８３】
また、本実施形態のシミュレータドーム１では、支柱９がスクリーン分割体２０と天井部３との間の隙間Ｇに配され、スクリーン分割体２０及び天井部３に対して着脱可能に連結されている。このため、周方向における隙間Ｇの寸法が大きくても、天井部３を支柱９によって支持することで、シミュレータドーム１の剛性を高めることができる。
また、支柱９が着脱可能であることで、隙間Ｇを利用したスクリーン分割体２０の着脱作業が支柱９によって阻害されることも防止できる。
【００８４】
また、本実施形態のシミュレータドーム１では、スクリーン分割体２０と天井部３との間の隙間Ｇがカバー部１０によって覆われる。このため、シミュレータドーム１を使用する際に隙間Ｇからシミュレータドーム１の内部に光や音が入り込むことを防止できる。すなわち、シミュレータドーム１の遮光性や遮音性を向上できる。
また、カバー部１０がスクリーン部２及び天井部３に対して着脱自在とされているため、スクリーン分割体２０の着脱作業がカバー部１０によって阻害されることを防止できる。また、カバー部１０はスクリーン部２及び天井部３の外側から隙間Ｇを覆うため、カバー部１０の着脱作業をシミュレータドーム１の外側から簡単に行うことができる。
【００８５】
また、本実施形態のシミュレータドーム１では、天井部３の外周端部からスクリーン部２に向けて突出してスクリーン部２に接触する突起部４２が、天井部３に対して着脱可能に設けられている。このため、突起部４２が天井部３に取り付けられてスクリーン分割体２０に接触した状態では、突起部４２とスクリーン分割体２０との間に生じる摩擦によって、天井部３に対するスクリーン分割体２０の移動を規制できる。一方、突起部４２を天井部３から取り外した状態では、スクリーン分割体２０と天井部３（天井分割体３０）との接触面積が減る。このため、スクリーン分割体２０と天井部３との間に生じる摩擦をさらに軽減し、スクリーン分割体２０を容易に着脱することができる。
【００８６】
また、本実施形態のシミュレータドーム１において、天井部３から突出する突起部４２が、スクリーン部２のうち着脱されないスクリーン分割体２０のみに接触する場合には、スクリーン分割体２０（例えばドア付きスクリーン分割体２０Ａ）の着脱時に突起部４２（又はこれを含む天井側リブ７）を天井部３から取り外す必要が無くなる。これにより、スクリーン分割体２０をより少ない工程で着脱することが可能となる。
【００８７】
また、本実施形態のシミュレータドーム１では、支持フレーム部５が、スクリーン分割体２０の天板部上側フランジ部２４に対して着脱可能に連結されている。天板部上側フランジ部２４を含むスクリーン側フランジ部２３は、スクリーン分割体２０の他の部分と比較して強度が高い。このため、支持フレーム部５を介して天井部３の荷重を安定してスクリーン分割体２０によって支えることができる。
【００８８】
また、本実施形態では、一つのスクリーン分割体２０を把持するスクリーン把持治具１００を用いて、スクリーン分割体２０をシミュレータドーム１の他の部分に対して簡単に着脱することができる。また、取り外したスクリーン分割体２０をスクリーン把持治具１００に保持させることで、スクリーン分割体２０の内面を保護した状態で、スクリーン分割体２０を保管することもできる。
さらに、本実施形態のスクリーン把持治具１００によれば、スクリーン分割体２０を把持した状態で転動部材１０７を利用して移動したり、スクリーン把持治具１００をクレーンで吊るしたりすることで、スクリーン分割体２０の運搬性向上を図ることもできる。
【００８９】
以上、本発明の詳細について説明したが、本発明は上述した実施形態に限定されるものではなく、本発明の趣旨を逸脱しない範囲において種々の変更を加えることができる。
【００９０】
本発明のシミュレータドームでは、例えば図８に示すように、支持フレーム部５の梁部５２が環状枠部５１や吊り治具８に対して径方向（梁部５２の長手方向）に移動可能に取り付けられてよい。図示例では、梁部５２に形成されて梁部５２の長手方向に延びる溝状のレール部５４に、環状枠部５１や吊り治具８の第二端部に設けられた係止部５５，５６を係止させている。係止部５５，５６は、例えば環状枠部５１や吊り治具８に一体に形成されてもよいが、図示例では梁部５２を環状枠部５１や吊り治具８に取り付けるための取付金具５７，５８によって構成されている。取付金具５７，５８のボルト５９を締めることで梁部５２を環状枠部５１や吊り治具８に対して移動不能に固定できる。また、取付金具５７，５８のボルト５９を緩めることで、梁部５２を環状枠部５１や吊り治具８に対して径方向（梁部５２の長手方向）に移動させることができる。複数の梁部５２のうち環状枠部５１や吊り治具８に対して移動可能な梁部５２の数は、任意であってよい。
【００９１】
このような構成のシミュレータドームでは、梁部５２を環状枠部５１や吊り治具８に対して径方向に移動させることで、梁部５２を径方向において天板部上側フランジ部２４よりも内側に位置させることができる。この状態では、梁部５２が周方向において天板部上側フランジ部２４と干渉しない位置に配される。このため、所定のスクリーン分割体２０（図８においてドア付きスクリーン分割体２０Ａ）を径方向に移動させて着脱する際に、スクリーン分割体２０を梁部５２の長手方向に平行に移動させる必要が無くなる。すなわち、スクリーン分割体２０の移動方向の制限が緩和され、所定のスクリーン分割体２０をシミュレータドームの他の部分に対して容易に着脱することができる。
【００９２】
本発明のシミュレータドームにおいて、径方向においてスクリーン本体の外側に突出する突出部は、ドア付きスクリーン分割体に形成されることに限らず、他のスクリーン分割体に形成されてもよい。
【００９３】
本発明のシミュレータドームにおいて、天井部に着脱可能に設けられてスクリーン部に向けて突出する突起部は、天井側リブによって構成されることに限らず、例えば天井部の外周端部にネジ止め等によって着脱可能に設けられてもよい。
また、本発明のシミュレータドームにおいて、上記の突起部は、例えばスクリーン部に着脱可能に設けられて、天井部に向けて突出すると共に天井部の外周端部に接触してもよい。この場合、突起部は、例えば天井側リブと同様に、周方向に隣り合う二つのスクリーン分割体（例えばスクリーン側フランジ部）の間に着脱可能に配されるスクリーン側リブによって構成されてもよい。また、突起部は、例えば着脱されないスクリーン分割体のみに設けられてもよい。
【００９４】
本発明のシミュレータドームにおいて、介在プレートは、例えば梁部とスクリーン分割体のうち天板分割部の上面との間に配されてもよい。この場合でも、上記実施形態と同様の効果を奏する。
【００９５】
本発明のシミュレータドームにおいて、支持フレーム部の各梁部は、例えば周方向において各スクリーン分割体の天板部上側フランジ部と間隔をあけた位置において、各スクリーン分割体の天板分割部に連結されてもよい。また、各梁部は、例えば径方向において天板部上側フランジ部の内側に配された上で、天板部上側フランジ部や天板部に連結されてもよい。
このような構成では、梁部が周方向において天板部上側フランジ部と干渉しない位置に配されることになる。このため、所定のスクリーン分割体を径方向に移動させて着脱する際に、梁部とスクリーン分割体の天板部上側フランジ部とが干渉することを抑制又は防止できる。したがって、所定のスクリーン分割体をシミュレータドームの他の部分に対して容易に着脱することができる。
【００９６】
本発明のシミュレータドームにおいて、スクリーン分割体と天井部との間に形成される隙間は、スペーサによって形成されることに限らない。隙間は、例えば、周方向における天井部の外周端部の一部がスクリーン部に支持され、かつ、天井部の外周端部の残部がスクリーン部の上端部と間隔をあけて位置することで形成されてもよい。
【符号の説明】
【００９７】
１  シミュレータドーム
２  スクリーン部
３  天井部
４  プロジェクタ
５  支持フレーム部
７  天井側リブ
８  吊り治具
９  支柱
１０  カバー部
１１  スクリーン本体
１２  ドア
１３  突出部
１５  天板部
２０  スクリーン分割体
２０Ａ  ドア付きスクリーン分割体
２３  スクリーン側フランジ部
２４  天板部上側フランジ部
３１  天井側フランジ部
４２  突起部
５１  環状枠部
５２  梁部
５４  介在プレート
Ｇ  隙間
【図１】
2019020626.tif 000003
【図２】
2019020626.tif 000004
【図３】
2019020626.tif 000005
【図４】
2019020626.tif 000006
【図５】
2019020626.tif 000007
【図６】
2019020626.tif 000008
【図７】
2019020626.tif 000009
【図８】
2019020626.tif 000010